(57)【要約】【課題】１つのキーに対する操作で、複数の電話番号に対して簡易に発信すること。【解決手段】１つの態様において、電子機器（例えば、携帯電話１）は、ユーザからの操作を受け付ける複数のキーを有する操作部と、前記複数のキーのうち、１つのキーに対応付けて複数の電話番号を記憶する記憶部と、前記１つのキーに対する操作態様に応じて、前記複数の電話番号の中から電話番号を１つ選択し、選択した電話番号に対して発信する制御部とを有する。電子機器（例えば、携帯電話１）は、キー３ａの押下回数に応じた電話番号を、操作態様判定テーブル９Ｃに基づいて、電話番号データ９Ｂから選択する。そして、電子機器（例えば、携帯電話１）は、選択された電話番号に対して発信する。【選択図】図１
2014072780.tif 000002
【特許請求の範囲】
【請求項１】
ユーザからの操作を受け付ける複数のキーを有する操作部と、
前記複数のキーのうち、１つのキーに対応付けて複数の電話番号を記憶する記憶部と、
前記１つのキーに対する操作態様に応じて、前記複数の電話番号の中から電話番号を１つ選択し、選択した電話番号に対して発信する制御部と
を有する電子機器。
【請求項２】
前記制御部は、前記１つのキーの押下回数に応じて、前記複数の電話番号の中から電話番号を１つ選択し、選択した電話番号に対して発信する請求項１に記載の電子機器。
【請求項３】
前記制御部は、前記１つのキーの押下時間に応じて、前記複数の電話番号の中から電話番号を１つ選択し、選択した電話番号に対して発信する請求項１に記載の電子機器。
【請求項４】
ユーザからの操作を受け付ける複数のキーを有する操作部と、
前記複数のキーのうち、１つのキーに対応付けて複数の電話番号を記憶する記憶部と、
前記１つのキーを押下するたびに、前記複数の電話番号の中から異なる電話番号を１つ選択し、選択した電話番号に対して発信する制御部と
を有する電子機器。
【請求項５】
前記制御部は、前記複数の電話番号への発信が完了した後、前記記憶部から前記複数の電話番号を消去する請求項４に記載の電子機器。
【請求項６】
前記記憶部は、前記複数の電話番号とは異なる電話番号を、前記１つのキーに対応付けて記憶し、
前記制御部は、前記１つのキーに対する操作を検出した場合に、前記１つのキーに対応付けられている電話番号に対して発信する請求項５に記載の電子機器。
【請求項７】
ユーザからの操作を受け付ける複数のキーを有する操作部と、前記複数のキーのうち、１つのキーに対応付けて複数の電話番号を記憶する記憶部とを有する電子機器によって実行される制御方法であって、
前記１つのキーに対する操作態様を判定するステップと、
判定された操作態様に応じて、前記複数の電話番号の中から電話番号を１つ選択し、選択した電話番号に対して発信するステップと
を含む制御方法。
【請求項８】
ユーザからの操作を受け付ける複数のキーを有する操作部と、前記複数のキーのうち、１つのキーに対応付けて複数の電話番号を記憶する記憶部とを有する電子機器に、
前記１つのキーに対する操作態様を判定するステップと、
判定された操作態様に応じて、前記複数の電話番号の中から電話番号を１つ選択し、選択した電話番号に対して発信するステップと
を実行させる制御プログラム。
【発明の詳細な説明】
【技術分野】
【０００１】
本出願は、電子機器、制御方法及び制御プログラムに関する。
【背景技術】
【０００２】
従来、携帯電話、ファックスなどの電子機器には、通常の操作よりも少ない操作で、宛先の電話番号へ発信することができる短縮ダイヤルの機能を有するものがある。携帯電話の中には、予め登録される特定の電話番号に対してワンタッチ操作で簡単に発信可能なワンタッチダイヤルキーの機能を有するものがある（特許文献１参照）。文字、数字および記号の入力を行うための複数のキーを備えるキーパッドを備える携帯電話の中には、各キーをワンタッチダイヤルキーとして機能させるものもある（特許文献２参照）。
【先行技術文献】
【特許文献】
【０００３】
【特許文献１】特開平９―０６４９５０号公報
【特許文献２】特開平７―１６２４９８号公報
【発明の概要】
【発明が解決しようとする課題】
【０００４】
ワンタッチダイヤルキーでは、予め登録される特定の電話番号への発信のみが可能であり、その他の電話番号への発信はできない。キーパットが備える複数のキーの各々をワンタッチダイヤルキーとして機能させる場合も、各キーに予め対応付けられている電話番号への発信のみが可能である。このようなことから、１つのキーに対する操作で、複数の電話番号に対して簡易に発信することができる電子機器、制御方法及び制御プログラムに対する必要性がある。
【課題を解決するための手段】
【０００５】
１つの態様に係る電子機器は、ユーザからの操作を受け付ける複数のキーを有する操作部と、前記複数のキーのうち、１つのキーに対応付けて複数の電話番号を記憶する記憶部と、前記１つのキーに対する操作態様に応じて、前記複数の電話番号の中から電話番号を１つ選択し、選択した電話番号に対して発信する制御部とを有する。
【０００６】
１つの態様に係る制御方法は、ユーザからの操作を受け付ける複数のキーを有する操作部と、前記複数のキーのうち、１つのキーに対応付けて複数の電話番号を記憶する記憶部とを有する電子機器によって実行される制御方法であって、前記１つのキーに対する操作態様を判定するステップと、判定された操作態様に応じて、前記複数の電話番号の中から電話番号を１つ選択し、選択した電話番号に対して発信するステップとを含む。
【０００７】
１つの態様に係る制御プログラムは、ユーザからの操作を受け付ける複数のキーを有する操作部と、前記複数のキーのうち、１つのキーに対応付けて複数の電話番号を記憶する記憶部とを有する電子機器に、前記１つのキーに対する操作態様を判定するステップと、判定された操作態様に応じて、前記複数の電話番号の中から電話番号を１つ選択し、選択した電話番号に対して発信するステップとを実行させる。
【図面の簡単な説明】
【０００８】
【図１】図１は、実施形態に係る携帯電話のブロック図である。
【図２】図２は、電話番号データの一例を示す図である。
【図３】図３は、キーの押下回数に応じて電話番号を選択する場合に対応するテーブルの一例を示す図である。
【図４】図４は、キーの押下時間に応じて電話番号を選択する場合に対応するテーブルの一例を示す図である。
【図５】図５は、実施形態１に係る携帯電話による処理手順の一例を示す図である。
【図６】図６は、実施形態１に係る携帯電話による処理手順の一例を示す図である。
【図７】図７は、実施形態２に係る携帯電話による処理手順の一例を示す図である。
【図８】図８は、実施形態２に係る携帯電話による処理手順の一例を示す図である。
【図９】図９は、電話番号データの他の例を示す図である。
【図１０】図１０は、キー３ａの押下回数に応じて電話番号を選択する場合に対応するテーブルの他の例を示す図である。
【図１１】図１１は、実施形態３に係る携帯電話による処理手順の一例を示す図である。
【発明を実施するための形態】
【０００９】
本発明を実施するための実施形態を、図面を参照しつつ詳細に説明する。以下では、電子機器の例として、携帯電話について説明する。
【００１０】
（実施形態１）
図１〜図４を参照しながら、実施形態に係る携帯電話１の機能的な構成について説明する。図１は、実施形態に係る携帯電話のブロック図である。図１に示すように、携帯電話１は、表示部２と、操作部３と、通信部６と、レシーバ７と、マイク８と、記憶部９と、制御部１０と、スピーカ１１と、振動部１５と、ランプ１６とを備える。
【００１１】
表示部２は、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。表示部２は、文字、画像、記号、及び図形等を表示する。
【００１２】
操作部３は、利用者からの操作入力を受け付ける。操作部３は、キー３ａおよびキー３ｂを備える。操作部３が備えるキーの数は、図１に示す例には限定されない。なお、キーの数は１つであってもよい。
【００１３】
通信部６は、公衆回線ネットワークなどのネットワークを通じて、データの送受信、通話などの通信を行うことができるように構成されている。通信部６がサポートする通信規格には、例えば、２Ｇ、３Ｇ、４Ｇ等のセルラーフォンの通信規格がある。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。通信部６は、上述した通信規格の１つ又は複数をサポートしていてもよい。
【００１４】
通信部６は、近距離無線通信を通じて、データの送受信、通話などの通信を行うことができるように構成されてもよい。通信部６がサポートする近距離無線の通信規格としては、例えば、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等がある。ＷＰＡＮには、例えば、ＺｉｇＢｅｅ（登録商標）が含まれる。通信部６は、上述した通信規格の１つ又は複数をサポートしていてもよい。
【００１５】
レシーバ７は、音出力部である。レシーバ７は、制御部１０から送信される音信号を音として出力する。レシーバ７は、例えば、通話時に相手の声を出力するために用いられる。マイク８は、音入力部である。マイク８は、利用者の音声等を音信号へ変換して制御部１０へ送信する。
【００１６】
記憶部９は、プログラム及びデータを記憶する。記憶部９は、制御部１０の処理結果を一時的に記憶する作業領域としても利用される。記憶部９は、半導体記憶媒体、及び磁気記憶媒体等の任意の非一過的（ｎｏｎ−ｔｒａｎｓｉｔｏｒｙ）な記憶媒体を含んでよい。記憶部９は、複数の種類の記憶媒体を含んでよい。記憶部９は、メモリカード、光ディスク、又は光磁気ディスク等の可搬の記憶媒体と、記憶媒体の読み取り装置との組み合わせを含んでよい。記憶部９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００１７】
記憶部９に記憶されるプログラムには、フォアグランド又はバックグランドで実行されるアプリケーションと、アプリケーションの動作を支援する制御プログラムとが含まれる。フォアグランドで実行されるアプリケーションは、例えば、表示部２に画面が表示される。制御プログラムには、例えば、ＯＳが含まれる。アプリケーション及び制御プログラムは、通信部６による無線通信又は非一過的な記憶媒体を介して記憶部９にインストールされてもよい。
【００１８】
記憶部９は、例えば、制御プログラム９Ａ、電話番号データ９Ｂ及び操作態様判定テーブル９Ｃを記憶する。
【００１９】
制御プログラム９Ａは、携帯電話１を稼働させるための各種制御に関する機能を提供する。例えば、制御プログラム９Ａは、通信部６などを制御することによって、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）などを用いた通信を実現させるための機能を提供してもよい。例えば、制御プログラム９Ａは、通信部６などを制御することによって、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等を用いた近距離無線通信を実現させるための機能を提供してもよい。例えば、制御プログラム９Ａは、例えば、通信部６及びマイク８等など制御することによって、発信、着信、通話などの電話機能を実現させるための機能を提供してもよい。制御プログラム９Ａにより提供される機能は、複数のプログラムモジュールに分割されていてもよいし、他のプログラムと結合されていてもよい。
【００２０】
さらに、制御プログラム９Ａは、操作部３が備えるキー３ａに対するユーザの操作態様に応じて、後述する電話番号データ９Ｂに含まれる複数の電話番号の中から電話番号を１つ選択し、選択した電話番号に対して発信する機能を提供する。制御プログラム９Ａには、操作態様を確定するためのロジックが予め組み込まれる。制御プログラム９Ａには、後述する操作態様判定テーブル９Ｃに基づいて、後述する電話番号データ９Ｂに含まれる複数の電話番号の中から電話番号を１つ選択するためのロジックが予め組み込まれる。報知態様は、キー３ａの押下回数、押下時間などに該当する。
【００２１】
電話番号データ９Ｂは、キー３ａに対応付けて、通話発信の対象となる複数の電話番号のデータを記憶する。図２は、電話番号データの一例を示す図である。図２に示すように、電話番号データ９Ｂは、操作部３が有するキーに一意に付与されるキー番号“３ａ”に対応付けて、“電話番号Ｘ”、“電話番号Ｙ”、及び“電話番号Ｚ”の３つの電話番号が記憶される。
【００２２】
操作態様判定テーブル９Ｃは、キー３ａに対するユーザの操作態様を判定するためのテーブルである。図３は、キー３ａの押下回数に応じて電話番号を選択する場合に対応するテーブルの一例を示す図である。図３に示すように、操作態様判定テーブル９Ｃには、キー３ａの押下回数と、電話番号とが対応付けられている。図３に示す操作態様判定テーブル９Ｃによれば、キー３ａの押下回数が１回である場合には電話番号Ｘが選択され、キー３ａの押下回数が２回である場合には電話番号Ｙが選択され、キー３ａの押下回数が３回である場合には電話番号Ｚが選択される。図４は、キー３ａの押下時間に応じて電話番号を選択する場合に対応するテーブルの一例を示す図である。図４に示すように、操作態様判定テーブル９Ｃには、キー３ａの押下時間と、電話番号とが対応付けられている。図４に示す操作態様判定テーブル９Ｃによれば、キー３ａの押下時間ｔ（秒）がｔ≦１である場合には電話番号Ｘが選択され、キー３ａの押下時間ｔ（秒）が１＜ｔ≦２である場合には電話番号Ｙが選択され、キー３ａの押下回数ｔ（秒）がｔ＞２である場合には電話番号Ｚが選択される。
【００２３】
図１に示す記憶部９には、記憶されるプログラム及びデータの一例を示しており、図１に示す例には限定されない。図１に示すプログラム及びデータ以外にも、例えば、無線通信による通話のための通話機能を提供する通話アプリケーション、電子メールの作成、送信、受信、及び表示等のための電子メール機能を提供するメールアプリケーションなどが記憶されていてよい。
【００２４】
制御部１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。制御部１０は、携帯電話１の動作を統括的に制御して各種の機能を実現する。
【００２５】
具体的には、制御部１０は、記憶部９に記憶されているデータを必要に応じて参照しつつ、記憶部９に記憶されているプログラムに含まれる命令を実行する。制御部１０は、データ及び命令に応じて機能部を制御し、それによって各種機能を実現する。機能部は、例えば、表示部２、通信部６、レシーバ７、マイク８、スピーカ１１、振動部１５、ランプ１６などを含むが、これらに限定されない。制御部１０は、検出部の検出結果に応じて、制御を変更することがある。検出部は、例えば、操作部３を含むが、これらに限定されない。
【００２６】
制御部１０は、制御プログラム９Ａを実行することにより、操作部３が備えるキー３ａに対するユーザの操作態様に応じて、電話番号データ９Ｂに含まれる複数の電話番号の中から電話番号を１つ選択し、選択した電話番号に対して発信する処理を実現する。例えば、制御部１０は、キー３ａの押下回数あるいは押下時間に応じて、電話番号データ９Ｂに含まれる複数の電話番号の中から電話番号を１つ選択し、選択した電話番号に対して発信する処理を実現する。
【００２７】
本出願において、制御部１０がプログラム（又は、アプリケーション）を起動する場合には、記憶部９に記憶されているプログラムを新たに読み出してその処理を開始する場合と、既に読み出されているプログラムの処理を新たに開始する場合とが含まれる。本出願において、制御部１０がプログラムを実行する場合には、プログラムを起動する場合と、中断中のプログラムを再開する場合と、起動済のプログラムの処理を継続する場合とが含まれる。
【００２８】
図１において記憶部９が記憶するプログラム及びデータの一部又は全部は、通信部６による無線通信で他の装置からダウンロードされてもよい。図１において記憶部９が記憶するプログラム及びデータの一部又は全部は、記憶部９に含まれる読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、磁気記憶媒体、メモリカード、及びソリッドステート記憶媒体を含むが、これらに限定されない。
【００２９】
スピーカ１１は、音出力部である。スピーカ１１は、制御部１０から送信される音信号を音として出力する。スピーカ１１は、例えば、アラーム音、ポップアップ表示音、着信音、メール受信音、及び音楽を出力するために用いられる。レシーバ７及びスピーカ１１の一方が、他方の機能を兼ねてもよい。
【００３０】
振動部１５は、携帯電話１の一部又は全体を振動させる。振動部１５は、振動を発生させるために、例えば、圧電素子、又は偏心モータなどを有する。振動部１５による振動は、着信等の各種のイベントをユーザに報知するために用いられる。ランプ１６は、例えば、ＬＥＤ（Ｌｉｇｈｔ  Ｅｍｉｔｔｉｎｇ  Ｄｉｏｄｅ）であり、着信またはメール受信などのイベントの発生に応じて発光する。ランプ１６は、スピーカ１１からの音の出力、あるいは振動部１５による振動と連動して発光してもよいし、スピーカ１１からの音の出力、あるいは振動部１５による振動とは無関係に発光してもよい。
【００３１】
図１に示した携帯電話１の機能的な構成は例であり、本発明の要旨を損なわない範囲において適宜変更してよい。例えば、携帯電話１は、照度センサ、近接センサ、カメラ、姿勢検出ユニット、タッチスクリーンなどを備えていてもよい。
【００３２】
図５及び図６を参照して、携帯電話１による処理手順の一例を説明する。図５及び図６は、実施形態１に係る携帯電話による処理手順の一例を示す図である。図５及び図６に示す処理手順は、制御部１０が、記憶部９に記憶されている制御プログラム９Ａなどを実行することによって実現される。図５及び図６に示す処理手順は、携帯電話１の起動中、繰り返し実行される。
【００３３】
図５は、キー３ａの押下回数に応じて、複数の電話番号の中から電話番号を１つ選択し、選択した電話番号に対して発信する処理手順の一例を示す。
【００３４】
図５に示すように、制御部１０は、ステップＳ１０１として、キー３ａに対する操作を検出したかどうかを判定する。
【００３５】
制御部１０は、判定の結果、キー３ａに対する操作を検出していない場合には（ステップＳ１０１、Ｎｏ）、図５に示す処理手順を終了する。
【００３６】
一方、制御部１０は、判定の結果、キー３ａに対する操作を検出している場合には（ステップＳ１０１、Ｙｅｓ）、ステップＳ１０２として、キー３ａの押下回数を判定する。具体的には、制御部１０は、例えば、キー３ａが最初に押下されてから一定時間内（例えば、１秒以内）に押下された回数を計数する。続いて、制御部１０は、キー３ａが最後に押下されてから、キー３ａに対する操作がない状態で一定時間が経過した場合に、それまでに計数した押下回数を、キー３ａに対する押下回数として確定させる。
【００３７】
続いて、制御部１０は、ステップＳ１０３として、ステップＳ１０２にて判定されたキー３ａの押下回数に応じた電話番号を、操作態様判定テーブル９Ｃ（図３参照）に基づいて、電話番号データ９Ｂ（図２参照）から選択する。例えば、制御部１０は、キー３ａの押下回数が１回である場合には電話番号Ｘを選択し、キー３ａの押下回数が２回である場合には電話番号Ｙを選択し、キー３ａの押下回数が３回である場合には電話番号Ｚを選択する。
【００３８】
続いて、制御部１０は、ステップＳ１０４として、ステップＳ１０３にて選択された電話番号に対して発信し、図５に示す処理手順を終了する。
【００３９】
図６は、キー３ａの押下時間に応じて、複数の電話番号の中から電話番号を１つ選択し、選択した電話番号に対して発信する処理手順の一例を示す。
【００４０】
図６に示すように、制御部１０は、ステップＳ２０１として、キー３ａに対する操作を検出したかどうかを判定する。
【００４１】
制御部１０は、判定の結果、キー３ａに対する操作を検出していない場合には（ステップＳ２０１、Ｎｏ）、図６に示す処理手順を終了する。
【００４２】
一方、制御部１０は、判定の結果、キー３ａに対する操作を検出した場合には（ステップＳ２０１、Ｙｅｓ）、ステップＳ２０２として、キー３ａの押下時間を判定する。具体的には、制御部１０は、例えば、キー３ａの押下が開始されてから押下が終了されるまでの時間を計測する。
【００４３】
続いて、制御部１０は、ステップＳ２０３として、ステップＳ２０２にて判定されたキー３ａの押下時間に応じた電話番号を、操作態様判定テーブル９Ｃ（図４参照）に基づいて、電話番号データ９Ｂ（図２参照）から選択する。例えば、制御部１０は、キー３ａの押下時間ｔ（秒）がｔ≦１である場合には電話番号Ｘを選択し、キー３ａの押下時間ｔ（秒）が１＜ｔ≦２である場合には電話番号Ｙを選択し、キー３ａの押下回数ｔ（秒）がｔ＞２である場合には電話番号Ｚを選択する。
【００４４】
続いて、制御部１０は、ステップＳ２０４として、ステップＳ２０３にて選択された電話番号に対して発信し、図６に示す処理手順を終了する。
【００４５】
このように、実施形態１では、携帯電話１は、キー３ａに対するユーザの操作態様に応じて、複数の電話番号の中から電話番号を１つ選択し、選択した電話番号に発信する。例えば、携帯電話１は、キー３ａの押下回数、あるいは押下時間に応じて、複数の電話番号の中から電話番号を１つ選択し、選択した電話番号に発信する。このようなことから、実施形態１によれば、１つのキーに対する操作で、複数の電話番号に対して簡易に発信することができる。
【００４６】
（実施形態２）
実施形態１において、選択した電話番号を発信する際に、ユーザに対して発信の許可を要求するようにしてもよい。
【００４７】
制御プログラム９Ａは、選択した電話番号に発信する際に、ユーザに対して発信の許可を要求する確認画面を表示部２に表示させる機能を提供する。さらに、制御プログラム９Ａは、ユーザにより発信が許可された場合に、通話発信を実行する機能を提供する。さらに、制御プログラム９Ａは、ユーザにより発信が許可されなかった場合に、キー３ａの押下回数、あるいは押下時間をリセットする機能を提供する。
【００４８】
制御部１０は、制御プログラム９Ａを実行することにより、選択した電話番号に発信する際に、ユーザに対して発信の許可を要求する確認画面を表示部２に表示させる処理を実現する。さらに、制御部１０は、制御プログラム９Ａを実行することにより、ユーザから発信の許可があった場合に、通話発信を実行する処理を実現する。さらに、制御部１０は、制御プログラム９Ａを実行することにより、ユーザにより発信が許可されなかった場合に、キー３ａの押下回数、あるいは押下時間をリセットする処理を実現する。
【００４９】
図７及び図８は、実施形態２に係る携帯電話による処理手順の一例を示す図である。図７及び図８に示す処理手順は、制御部１０が、記憶部９に記憶されている制御プログラム９Ａなどを実行することによって実現される。図７及び図８に示す処理手順は、携帯電話１の起動中、繰り返し実行される。
【００５０】
図７は、キー３ａの押下回数に応じて、複数の電話番号の中から電話番号を１つ選択し、選択した電話番号に対して発信する際に、ユーザに対して発信の許可を要求する確認画面を表示部２に表示させる場合の処理手順の一例を示す。
【００５１】
図７に示すように、制御部１０は、ステップＳ３０１として、キー３ａに対する操作を検出したかどうかを判定する。
【００５２】
制御部１０は、判定の結果、キー３ａに対する操作を検出していない場合には（ステップＳ３０１、Ｎｏ）、図７に示す処理手順を終了する。
【００５３】
一方、制御部１０は、判定の結果、キー３ａに対する操作を検出している場合には（ステップＳ３０１、Ｙｅｓ）、ステップＳ３０２として、キー３ａの押下回数を判定する。
【００５４】
続いて、制御部１０は、ステップＳ３０３として、ステップＳ３０２にて判定されたキー３ａの押下回数に応じた電話番号を、操作態様判定テーブル９Ｃ（図３参照）に基づいて、電話番号データ９Ｂ（図２参照）から選択する。
【００５５】
続いて、制御部１０は、ステップＳ３０４として、ステップＳ３０３にて選択された電話番号に対して発信するか否かの許可をユーザに要求するための発信確認画面を表示部２に表示する。
【００５６】
続いて、制御部１０は、ステップＳ３０５として、ユーザにより発信が許可されたか否かを判定する。例えば、ユーザによる発信の許可または不許可の操作は、キー３ａあるいはキー３ｂに対する操作により行われてよい。制御部１０は、一定時間内にキーが１回押下された場合には、発信が許可されたものと判定し、一定時間内にキーが２回押下された場合には、発信が許可されなかったものと判定してもよい。あるいは、制御部１０は、キーの押下時間が一定時間未満（１秒未満）である場合には、発信が許可されたものと判定し、キーの押下時間が一定時間以上（１秒以上）である場合には、発信が許可されなかったものと判定してもよい。あるいは、制御部１０は、キー３ａが押下されれば、発信が許可されたものと判定し、キー３ｂが押下されれば、発信が許可されなかったものと判定してもよい。
【００５７】
制御部１０は、判定の結果、ユーザにより発信が許可された場合には（ステップＳ３０５、Ｙｅｓ）、ステップＳ３０６として、ステップＳ３０３にて選択された電話番号に対して発信し、図７に示す処理手順を終了する。
【００５８】
一方、制御部１０は、判定の結果、ユーザにより発信が許可されなかった場合には（ステップＳ３０５、Ｎｏ）、ステップＳ３０７として、ステップＳ３０２にて判定されたキー３ａの押下回数をリセットし、ステップＳ３０１に戻る。すなわち、制御部１０は、ユーザにより、改めてキー３ａに対する操作が行われるまで待機する。このとき、制御部１０は、改めてキー３ａに対する操作を実行することを要求する画面を表示したり、音声によるメッセージを出力したりしてもよい。
【００５９】
図８は、キー３ａの押下時間に応じて、複数の電話番号の中から電話番号を１つ選択し、選択した電話番号に対して発信する際に、ユーザに対して発信の許可を要求する確認画面を表示部２に表示させる場合の処理手順の一例を示す。
【００６０】
図８に示すように、制御部１０は、ステップＳ４０１として、キー３ａに対する操作を検出したかどうかを判定する。
【００６１】
制御部１０は、判定の結果、キー３ａに対する操作を検出していない場合には（ステップＳ４０１、Ｎｏ）、図８に示す処理手順を終了する。
【００６２】
一方、制御部１０は、判定の結果、キー３ａに対する操作を検出している場合には（ステップＳ４０１、Ｙｅｓ）、ステップＳ４０２として、キー３ａの押下時間を判定する。
【００６３】
続いて、制御部１０は、ステップＳ４０３として、ステップＳ４０２にて判定されたキー３ａの押下時間に応じた電話番号を、操作態様判定テーブル９Ｃ（図３参照）に基づいて、電話番号データ９Ｂ（図２参照）から選択する。
【００６４】
続いて、制御部１０は、ステップＳ４０４として、ステップＳ４０３にて選択された電話番号に対して発信するか否かの許可をユーザに要求するための発信確認画面を表示部２に表示する。
【００６５】
続いて、制御部１０は、ステップＳ４０５として、ユーザにより発信が許可されたか否かを判定する。例えば、ユーザによる発信の許可または不許可の操作は、キー３ａあるいはキー３ｂに対する操作により行われてよい。制御部１０は、一定時間内にキーが１回押下された場合には、発信が許可されたものと判定し、一定時間内にキーが２回押下された場合には、発信が許可されなかったものと判定してもよい。あるいは、制御部１０は、キーの押下時間が一定時間未満（１秒未満）である場合には、発信が許可されたものと判定し、キーの押下時間が一定時間以上（１秒以上）である場合には、発信が許可されなかったものと判定してもよい。あるいは、制御部１０は、キー３ａが押下されれば、発信が許可されたものと判定し、キー３ｂが押下されれば、発信が許可されなかったものと判定してもよい。
【００６６】
制御部１０は、判定の結果、ユーザにより発信が許可された場合には（ステップＳ４０５、Ｙｅｓ）、ステップＳ４０６として、ステップＳ４０３にて選択された電話番号に対して発信し、図８に示す処理手順を終了する。
【００６７】
一方、制御部１０は、判定の結果、ユーザにより発信が許可されなかった場合には（ステップＳ４０５、Ｎｏ）、ステップＳ４０７として、ステップＳ４０２にて判定されたキー３ａの押下時間をリセットし、ステップＳ４０１に戻る。すなわち、制御部１０は、ユーザにより、改めてキー３ａに対する操作が行われるまで待機する。このとき、制御部１０は、改めてキー３ａに対する操作を実行することを要求する画面を表示したり、音声によるメッセージを出力したりしてもよい。
【００６８】
実施形態２では、携帯電話１は、選択した電話番号を発信する際に、ユーザに対して発信の許可を要求する。そして、携帯電話１は、ユーザから発信の許可があった場合に、通話発信を実行する一方で、ユーザにより発信が許可されなかった場合には、キー３ａの押下回数、あるいは押下時間をリセットする。このようなことから、実施形態２によれば、キー操作による電話番号の選択が誤っていた場合であっても、間違って発信されることを防止できる。
【００６９】
（実施形態３）
以下の実施形態３では、例えば、携帯電話の初期起動時、設定のオールリセット時などに、携帯電話に必要となる試験（例えば、開通試験）および各種設定（割込み通話サービス、留守番通話サービス、ボイスメールサービス、着信転送サービスなどのサービス設定、及びキャリア設定）を、例えば、１つのキーに対する操作のみで実現するための一実施形態について説明する。
【００７０】
図９は、電話番号データの他の例を示す図である。図９に示すように、電話番号データ９Ｂは、キー３ａに対応付けて、通話発信の対象となる複数の電話番号のデータと、完了フラグとを記憶する。図９に示すように、電話番号データ９Ｂは、操作部３が有するキーに一意に付与されるキー番号“３ａ”に対応付けて、“電話番号Ａ（開通試験）”、“電話番号Ｂ（割込み通話サービス）”、“電話番号Ｃ（留守番電話サービス）”、“電話番号Ｄ（ボイスメールサービス）”、“電話番号Ｅ（着信転送サービス）”、及び“電話番号Ｆ（キャリア設定）”の６つの電話番号が記憶される。設定完了フラグ“Ｐ”は、試験又は設定が完了していることを意味する。完了フラグは、試験又は設定が完了した場合に、制御部１０により書き込まれる。なお、上記６つの電話番号に限定されず、他の試験又は設定に関する電話番号がさらに加えられてもよい。
【００７１】
携帯電話の初期起動時、設定のオールリセット時などに、携帯電話１が開通試験に対応する電話番号Ａに対して通話発信することにより、基地局側で開通試験に関する処理が実行され、試験終了に伴い自動的に終了する。携帯電話の初期起動時、設定のオールリセット時などに、携帯電話１が割込み通話サービスに対応する電話番号Ｂに対して通話発信することにより、例えば、割込み通話サービスを停止させるための処理が基地局側で実行され、設定終了後、自動的に終了する。携帯電話の初期起動時、設定のオールリセット時などに、携帯電話１が留守番通話サービスに対応する電話番号Ｃに対して通話発信することにより、例えば、留守番電話サービスを停止させるための処理が基地局側で実行され、設定終了後、自動的に終了する。携帯電話の初期起動時、設定のオールリセット時などに、携帯電話１がボイスメールサービスに対応する電話番号Ｄに対して通話発信することにより、例えば、ボイスメールサービスを停止させるための処理が基地局側で実行され、設定終了後、自動的に終了する。携帯電話の初期起動時、設定のオールリセット時などに、携帯電話１が着信転送サービスに対応する電話番号Ｅに対して通話発信することにより、例えば、着信転送サービスを停止させるための処理が基地局側で実行され、設定終了後、自動的に終了する。携帯電話の初期起動時、設定のオールリセット時などに、携帯電話１がキャリア設定に対応する電話番号Ｆに対して通話発信することにより、例えば、キャリア設定に関する処理が基地局側で実行され、設定終了後、自動的に終了する。キャリア設定は、キャリアが提供するウェブサービス、電子メールサービスに関する設定などを含む。
【００７２】
図１０は、キー３ａの押下回数に応じて電話番号を選択する場合に対応するテーブルの他の例を示す図である。図１０に示すように、操作態様判定テーブル９Ｃには、キー３ａの押下累積回数と、電話番号とが対応付けられている。図１０に示す操作態様判定テーブル９Ｃによれば、キー３ａの押下累積回数が１回である場合には電話番号Ａが選択され、キー３ａの押下累積回数が２回である場合には電話番号Ｂが選択され、キー３ａの押下累積回数が３回である場合には電話番号Ｃが選択され、キー３ａの押下累積回数が４回である場合には電話番号Ｄが選択され、キー３ａの押下累積回数が５回である場合には電話番号Ｅが選択され、キー３ａの押下累積回数が６回である場合には電話番号Ｆが選択される。
【００７３】
制御プログラム９Ａは、キー３ａが押下されるたびに、押下累積回数に応じた電話番号を選択して、試験または各種設定を実行するための機能を提供する。制御プログラム９Ａは、通話発信の失敗、又は設定完了通知が受信されない状態でのタイムアウトなどにより試験または各種設定が完了されていない場合に、ユーザに対して再発信の許可を要求するための再発信確認画面を表示部２に表示させる機能を提供する。
【００７４】
制御部１０は、制御プログラム９Ａを実行することにより、キー３ａが押下されるたびに、押下累積回数に応じた電話番号を、操作態様判定テーブル９Ｃ（図１０参照）に基づいて、電話番号データ９Ｂ（図９参照）から選択する処理を実現する。そして、制御部１０は、選択した電話番号に発信することにより、試験または各種設定を実行する処理を実現する。さらに、制御部１０は、制御プログラム９Ａを実行することにより、通話発信の失敗、又は設定完了通知が受信されない状態でのタイムアウトなどにより試験または各種設定が完了されていない場合に、ユーザに対して再発信の許可を要求するための再発信確認画面を表示部２に表示させる処理を実現する。
【００７５】
図１１は、実施形態３に係る携帯電話による処理手順の一例を示す図である。図１１に示す処理手順は、制御部１０が、例えば、制御プログラム９Ａを実行することにより実現される。図１１は、携帯電話の初期起動時、設定のオールリセット時などに、携帯電話に必要となる試験および各種設定を、１つのキーに対する操作のみで実現するための処理手順の一例を示す。図１１に示す処理手順では、例えば、キー３ａが押下されるたびに、押下累積回数に応じて試験または各種設定が実行される。
【００７６】
図１１に示すように、制御部１０は、ステップＳ５０１として、初期起動または設定オールリセットが行われたかどうかを判定する。制御部１０は、判定の結果、初期起動または設定オールリセットが行われていない場合には（ステップＳ５０１、Ｎｏ）、図１１に示す処理手順を終了する。
【００７７】
一方、制御部１０は、判定の結果、初期起動または設定オールリセットが行われた場合には（ステップＳ５０１、Ｙｅｓ）、ステップＳ５０２として、キー３ａの押下累積回数が更新されたかどうかを判定する。制御部１０は、判定の結果、キー３ａの押下累積回数が更新されていない場合には（ステップＳ５０２、Ｎｏ）、ユーザによりキー３ａが押下され、押下累積回数が更新されるまで待機する。
【００７８】
制御部１０は、判定の結果、キー３ａの押下累積回数の更新された場合には（ステップＳ５０２、Ｙｅｓ）、ステップＳ５０３として、キー３ａの押下累積回数に応じた電話番号を、操作態様判定テーブル９Ｃ（図１０参照）に基づいて、電話番号データ９Ｂ（図９参照）から選択する。制御部１０は、例えば、キー３ａの押下累積回数が１回である場合には、試験を行うための電話番号Ａを選択する。制御部１０は、キー３ａの押下累積回数が２回である場合には、割込み通話サービスに関する設定を行うための電話番号Ｂを選択する。制御部１０は、キー３ａの押下累積回数が３回である場合には、留守番電話サービスに関する設定を行うための電話番号Ｃを選択する。制御部１０は、キー３ａの押下累積回数が４回である場合には、ボイスメールサービスに関する設定を行うための電話番号Ｄを選択する。制御部１０は、キー３ａの押下累積回数が５回である場合には、着信転送サービスに関する設定を行うための電話番号Ｅを選択する。制御部１０は、キー３ａの押下累積回数が６回である場合には、キャリア設定を行うための電話番号Ｆを選択する。
【００７９】
続いて、制御部１０は、ステップＳ５０４として、ステップＳ５０３にて選択された電話番号に発信する。
【００８０】
続いて、制御部１０は、ステップＳ５０５として、設定を完了したかどうかを判定する。制御部１０は、例えば、ステップＳ５０４の通話発信後、発信先から設定完了の通知を受信した場合に、設定を完了したものと判定する。
【００８１】
制御部１０は、判定の結果、設定を完了していない場合には（ステップＳ５０５、Ｎｏ）、ステップＳ５０６として、再発信確認画面を表示部２に表示する。設定が完了しない場合には、例えば、通話発信に失敗した場合、設定完了通知が受信されない状態でタイムアウトした場合などが含まれる。
【００８２】
続いて、制御部１０は、ステップＳ５０７として、ユーザから再発信の許可があったかどうかを判定する。
【００８３】
制御部１０は、判定の結果、再発信の許可があった場合には（ステップＳ５０７、Ｙｅｓ）、ステップＳ５０４に戻り、ステップＳ５０３にて選択された電話番号に再発信する。一方、制御部１０は、判定の結果、再発信の許可がなかった場合には（ステップＳ５０７、Ｎｏ）、図１１の処理手順を終了する。
【００８４】
ステップＳ５０５において、制御部１０は、試験又は設定を完了した場合には（ステップＳ５０５、Ｙｅｓ）、ステップＳ５０８として、電話番号データ９Ｂに、発信先の電話番号に対応付けて、完了フラグ（例えば、Ｐ）を設定する。ユーザから再発信の許可がない場合には、例えば、試験および各種設定を途中で終了せざるを得ない事情が発生した場合などが考えられる。
【００８５】
続いて、制御部１０は、ステップＳ５０９として、試験および設定を全て完了したかどうかを判定する。制御部１０は、例えば、電話番号データ９Ｂの電話番号の全てに完了フラグが設定されている場合には、試験および設定の全てが完了しているものと判定する。
【００８６】
制御部１０は、判定の結果、試験および設定を全て完了していない場合には（ステップＳ５０９、Ｎｏ）、上述したステップＳ５０２に戻り、ユーザによりキー３ａが押下され、押下回数が更新されるまで待機する。
【００８７】
一方、制御部１０は、判定の結果、試験および設定を全て完了した場合には（ステップＳ５０９、Ｙｅｓ）、ステップＳ５１０として、記憶部９に記憶されている電話番号データ９Ｂを全て消去し、図１１の処理手順を終了する。
【００８８】
図１１の処理手順に示すように、制御部１０は、キー３ａの押下累積回数が１つ加算されるたびに、試験および各種設定を１つずつ順に実行してもよいが、キー３ａの押下回数に応じて、試験および各種設定を選択的に実行してもよい。例えば、制御部１０は、キー３ａが最後に押下されてから、キー３ａに対する操作がない状態で一定時間が経過するまでは、押下回数を確定させないようにすることにより、初期起動時などに必要となる試験および各種設定を選択的に実行することができる。例えば、図９及び図１０に示すように、押下累積回数と、試験または各種設定を行うための電話番号が対応付けられている場合、押下累積回数が１である状態から、次の処理手順で押下累積回数が３に更新された場合、試験→留守番電話サービス設定の順に処理が進められ、割込み通話サービス設定をスキップすることができ、試験および各種設定を選択的に実行できる。
【００８９】
あるいは、キー３ａの押下回数に応じて開通試験および各種設定を選択的に実行する例に限定されず、キー３ａの押下をトリガーとして、初期起動時などに必要となる開通試験および各種設定を予め決められた順序で１つずつ実行するようにしてもよい。このとき、制御部１０は、キー３ａに対する長押しを検出した場合には、実行の順番となった試験または各種設定の実行をスキップするように制御することにより、試験および各種設定を選択的に実行することができる。
【００９０】
図１１の処理手順に示すステップＳ５１０のように、制御部１０は、記憶部９に記憶されている電話番号データ９Ｂを全て消去する際、記憶部９に記憶されている操作態様判定テーブル９Ｃのデータも全て削除する。そして、制御部１０は、ユーザにより入力される新たな電話番号をキー３ａに対応付けて記憶部９に書き込んでもよい。例えば、制御部１０は、キー３ａに対応付けて、自宅、及び両親の電話番号を記憶部９に書き込む。さらに、制御部１０は、キー３ａの押下回数に対応付けて、自宅、及び両親の電話番号を記憶部９に書き込む。制御部１０は、例えば、キー３ａの押下回数“１”に対応付けて、自宅の電話番号を書き込み、キー３ａの押下回数“２”に対応付けて、母親の携帯電話の電話番号を書き込み、キー３ａの押下回数“３”に対応付けて、父親の携帯電話の電話番号を書き込む。このようにすることで、携帯電話１は、１つのキーに対する操作で、複数の電話番号へ発信可能な状態となる。
【００９１】
上記の実施形態では、添付の請求項に係る装置の例として、携帯電話について説明したが、添付の請求項に係る装置は、携帯電話に限定されない。添付の請求項に係る装置は、携帯電話以外の携帯電子機器であってもよい。携帯電子機器は、例えば、タブレット、携帯型パソコン、デジタルカメラ、メディアプレイヤ、電子書籍リーダ、ナビゲータ、及びゲーム機を含むが、これらに限定されない。
【００９２】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【符号の説明】
【００９３】
１  携帯電話
２  表示部
３  操作部
６  通信部
７  レシーバ
８  マイク
９  記憶部
９Ａ  制御プログラム
９Ｂ  電話番号データ
９Ｃ  操作態様判定テーブル
１０  制御部
１１  スピーカ
１５  振動部
１６  ランプ
【図１】
2014072780.tif 000003
【図２】
2014072780.tif 000004
【図３】
2014072780.tif 000005
【図４】
2014072780.tif 000006
【図５】
2014072780.tif 000007
【図６】
2014072780.tif 000008
【図７】
2014072780.tif 000009
【図８】
2014072780.tif 000010
【図９】
2014072780.tif 000011
【図１０】
2014072780.tif 000012
【図１１】
2014072780.tif 000013